(57)【要約】【課題】  簡単な構造で、吸入力の弱い患者でも薬剤を残留させずに十分に吸入することができる吸入式投薬器及び薬剤カートリッジを提供する。【解決手段】  粉体状の薬剤を収容する薬剤収容部３を円周方向に沿って複数並設した薬剤収容部３を有する薬剤カートリッジ７と、該薬剤カートリッジ７を着脱可能に収容するカートリッジ収容部９と、前記薬剤カートリッジ７の薬剤収容部３内に空気を供給する流入通路１１と、該流入通路１１から供給される空気によって前記薬剤収容部３内の薬剤が導出され、この導出された薬剤を肺内に投与する吸入口１３とを備え、前記薬剤カートリッジ７の薬剤収容部３の内周側に、該薬剤収容部３内に空気を供給する流入孔３９を設けると共に、薬剤収容部３の外周側に、前記空気によって導出される薬剤を流出させる流出孔４１を設けた吸入式投薬器である。【選択図】      図１
2006130143.tif 000002
【特許請求の範囲】
【請求項１】
粉体状の薬剤を収容する薬剤収容部を円周方向に沿って複数並設した薬剤収容部本体を備えた薬剤カートリッジにおいて、
薬剤収容部本体の内周側に、前記薬剤収容部内に空気を供給する流入孔を設けると共に、薬剤収容部本体の外周側に、前記空気によって導出される薬剤を流出させる流出孔を設けたことを特徴とする薬剤カートリッジ。
【請求項２】
薬剤カートリッジを着脱可能に収容するカートリッジ収容部と、該薬剤カートリッジの薬剤収容部内に空気を供給する流入通路と、該流入通路から供給される空気によって前記薬剤収容部内の薬剤が導出され、この導出された薬剤を肺内に投与する吸入口とを備えた吸入式投薬器であって、
粉体状の薬剤を収容する薬剤収容部を円周方向に沿って複数並設した薬剤収容部を有する薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設けたことを特徴とする吸入式投薬器。
【請求項３】
薬剤カートリッジを着脱可能に収容するカートリッジ収容部と、該薬剤カートリッジの薬剤収容部内に空気を供給する流入通路と、該流入通路から供給される空気によって前記薬剤収容部内の薬剤が導出され、この導出された薬剤を肺内に投与する吸入口とを備えた吸入式投薬器であって、
粉体状の薬剤を収容する薬剤収容部を円周方向に沿って複数並設した薬剤収容部を有する薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設け、薬剤収容部本体を環状に形成し、カートリッジを回転することにより吸入口と夫々の薬剤収容部を連通するように配置したことを特徴とする吸入式投薬器。
【発明の詳細な説明】
【技術分野】
【０００１】
本発明は、粉体状の薬剤を吸入によって投与するための吸入式投薬器及びこれに用いる薬剤カートリッジに関する。
【背景技術】
【０００２】
従来、例えば気管支拡張療法等において、粉体状の薬剤を患者に吸入させて投与する治療方法が採用され、この治療に使用する種々の吸入式投薬器が従来より種々提案されている（例えば、特許文献１参照）。
【０００３】
この特許文献１に記載された吸入装置には、薬剤保持キャビティが複数設けられたディスクが備えられており、該ディスクを回転させることにより、一枚のディスクで複数回の投与を行っている。また、前記薬剤保持キャビティは、ディスクの表面側から、その板厚方向に沿って形成された複数の穴から構成されている。さらに、薬剤保持キャビティの表面側には、スパイラル状に形成されたシーリングテープが貼付されることによって封止されている。
【特許文献１】特表２００２−５３５０４８公報
【発明の開示】
【発明が解決しようとする課題】
【０００４】
しかしながら、前記従来技術による吸入装置では、ディスクの表面側にのみ薬剤保持キャビティが開口しており、この薬剤保持キャビティ内に収容された薬剤を吸い上げるという構造となっている。このため、患者が吸入力の弱い子供等である場合、薬剤を十分に吸い上げることが困難となり、前記薬剤保持キャビティ内に薬剤が残留するという問題がある。
【０００５】
また、毎回の投与のたびに、前記シーリングテープを剥がして使用するが、この剥がしたシーリングテープを巻き取る機構が必要になるため、吸入装置の構造が複雑になり、吸入装置全体が大きくなり、コストアップの要因になるという問題がある。
【０００６】
本発明は前述した事情に鑑みてなされたものであり、本発明の目的は、簡単な構造で、吸入力の弱い患者でも薬剤を残留させずに十分に吸入することができる吸入式投薬器及び薬剤カートリッジを提供することにある。
【課題を解決するための手段】
【０００７】
前記の目的を達成するために、請求項１に記載の発明は、粉体状の薬剤を収容する薬剤収容部を円周方向に沿って複数並設した薬剤収容部本体を備えた薬剤カートリッジにおいて、薬剤収容部本体の内周側に、前記薬剤収容部内に空気を供給する流入孔を設けると共に、薬剤収容部本体の外周側に、前記空気によって導出される薬剤を流出させる流出孔を設けたことを特徴とする。
【０００８】
また、請求項２に記載の発明は、薬剤カートリッジを着脱可能に収容するカートリッジ収容部と、該薬剤カートリッジの薬剤収容部内に空気を供給する流入通路と、該流入通路から供給される空気によって前記薬剤収容部内の薬剤が導出され、この導出された薬剤を肺内に投与する吸入口とを備えた吸入式投薬器であって、粉体状の薬剤を収容する薬剤収容部を円周方向に沿って複数並設した薬剤収容部を有する薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設けたことを特徴とする。
【０００９】
請求項３に記載の発明は、薬剤カートリッジを着脱可能に収容するカートリッジ収容部と、該薬剤カートリッジの薬剤収容部内に空気を供給する流入通路と、該流入通路から供給される空気によって前記薬剤収容部内の薬剤が導出され、この導出された薬剤を肺内に投与する吸入口とを備えた吸入式投薬器であって、粉体状の薬剤を収容する薬剤収容部を円周方向に沿って複数並設した薬剤収容部を有する薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設け、薬剤収容部本体を環状に形成し、カートリッジを回転することにより吸入口と夫々の薬剤収容部を連通するように配置したことを特徴とする。
【発明の効果】
【００１０】
請求項１の発明によれば、薬剤収容部本体の外周側に前記空気によって導出される薬剤を流出させる流出孔を設けており、薬剤収容部と流入孔と流出孔とを円周上に配置しているため、複数回分の薬剤を効率良く配置することができる。
【００１１】
請求項２の発明によれば、前記薬剤カートリッジの薬剤収容部の内周側に、該薬剤収容部内に空気を供給する流入孔を設けると共に、薬剤収容部の外周側に、前記空気によって導出される薬剤を流出させる流出孔を設けているため、複数回分の薬剤を効率良く配置することができる。また、吸入式投薬器の構造を簡単にすることができる。
【００１２】
請求項３の発明によれば、カートリッジを回転させることによって、吸入口と薬剤収容部とを連通させることができるため、容易に複数回の使用をすることができる。
【発明を実施するための最良の形態】
【００１３】
以下、本発明の実施形態について図面を参照して説明する。
【００１４】
図１は本発明の実施形態による吸入式投薬器の平面図、図２は図１のＡ−Ａ線による断面図である。
【００１５】
図１，２に示すように、吸入式投薬器１は、粉体状の薬剤を収容する薬剤収容部３を円周方向に沿って複数並設した薬剤収容部本体５を有する薬剤カートリッジ７と、該薬剤カートリッジ７を着脱可能に収容するカートリッジ収容部９と、前記薬剤カートリッジ７の薬剤収容部３内に空気を供給する流入通路１１と、該流入通路１１から供給される空気によって前記薬剤収容部３内の薬剤が導出され、この導出された薬剤を患者の肺内に投与する吸入口１３とを備えている。
【００１６】
また、カートリッジ収容部９には、薬剤カートリッジ７の外周側を支持する外周支持部１５と、薬剤カートリッジ７の内周側を支持する内周支持部１７と、吸入式投薬器１の長軸方向に沿って延びる針収容部である孔開け針用収容凹部１９とが設けられている。この孔開け針用収容凹部（針収容部）１９には、摺動可能に支持された操作レバー２１と、該操作レバー２１の下端部には取り付けられた孔開け針２３と、該孔開け針２３の外周に配設されたスプリング２５とが配設されている。そして、孔開け針２３の先端は、内周支持部１７を貫通して設けられた流入通路１１内に収容されている。
【００１７】
また、薬剤カートリッジ７の上部には、該薬剤カートリッジ７の上面を押さえる円板状の支持板２７が設けられており、該支持板２７には、吸入式投薬器１の長軸方向に延びる長孔２９が開口している。前記操作レバー２１は、この長孔２９内をスライド可能に支持されている。
【００１８】
さらに、前記吸入口１３は、カートリッジ収容部９に固定されており、吸入式投薬器１の長手方向に沿って薬剤通路３１が形成されている。
【００１９】
なお、薬剤収容部３は、略円筒状に形成されている。
【００２０】
図３は図１の薬剤カートリッジを示す平面図、図４は図３のＢ−Ｂ線による断面図であり、シーリングテープを省略した薬剤収容部本体を示している。
【００２１】
図３に示すように、薬剤カートリッジ７は、円周方向に沿って薬剤収容部３を並設した薬剤収容部本体５と、該薬剤収容部本体５の内周側及び外周側に貼付されたシーリングテープ３３，３３と、薬剤収容部本体５の薬剤収容部３に充填された粉体状の薬剤（図示せず）とからなる。
【００２２】
前記薬剤収容部本体５の中央には、円状の取付穴３５が形成されており、薬剤収容部本体５の全体形状は環状に形成されている。
【００２３】
また、図３，４に示すように、薬剤収容部本体５の厚さ方向中央部には、薬剤収容部本体５の内周側から外周側に貫通する導通路３７が形成されている。この導通路３７は、略円筒状に形成されて薬剤収容部本体５の径方向に直線状に延びている。そして、導通路３７の一端である内周側には、薬剤収容部３内に空気を供給する流入孔３９が設けられており、導通路３７の他端である外周側には、前記空気によって導出される薬剤を流出させる流出孔４１が設けられている。このように、導通路３７の一端には流入孔３９を設け、他端には流出孔４１を設けているため、一つの導通路３７における流入孔３９と流出孔４１とは相対向して配置されている。また、それぞれの薬剤収容部３についてみると、導通路３７、流入孔３９及び流出孔４１が同一直線上に配置されている。
【００２４】
そして、薬剤収容部本体５の内周側及び外周側のそれぞれには、テープ状部材であるシーリングテープ３３が貼着され、これらのシーリングテープ３３によって、薬剤収容部本体５の流入孔３９及び流出孔４１が封止されている。このように、薬剤収容部３には、粉体状の薬剤が収容されてシーリングテープ３３によって封止されている。
【００２５】
さらに、図４に示すように、薬剤収容部本体５の断面形状は、上辺４３の径方向長さが底辺４５の径方向長さよりも長い台形状に形成されている。即ち、薬剤収容部本体５の断面形状のうち、投薬器取り付け側の辺に相当する底辺４５の長さは、底辺４５に対向する上辺４３の長さよりも短く形成された台形となっており、図４においては、下方に向かうにつれて徐々に左右幅が狭まるように側辺４７が傾斜配置されている。
【００２６】
図５は、図４の薬剤収容部本体の底面図である。
【００２７】
薬剤収容部本体５の底面４９には、円周上に沿って一定間隔をおいて半球状凹部５１が複数形成されている。一方、図２に示すように、カートリッジ収容部９には、支持球体５３とスプリング２５からなる支持手段５７が設けられているため、支持球体５３が上方に押し上げられ、薬剤カートリッジ７の半球状凹部５１に嵌合して円周方向の位置が保持されるように構成されている。
【００２８】
図６は図２のカーリッジ収容部の断面図である。
【００２９】
カートリッジ収容部９には、前述したように、薬剤カートリッジ７の外周側を支持する外周支持部１５と、薬剤カートリッジ７の内周側を支持する内周支持部１７と、孔開け針２３を収容する孔開け針用収容凹部１９とが設けられ、これらの内周支持部１７と外周支持部１５との間に、薬剤カートリッジ７を嵌合して収容保持する、断面台形状のカートリッジ嵌合部５５が形成されている。このカートリッジ嵌合部５５は、薬剤カートリッジ７の断面形状に合致した凹部に形成されている。即ち、カートリッジ嵌合部５５の断面形状は、薬剤カートリッジ７における投薬器取り付け側の底辺４５が当接する底壁５９と、薬剤カートリッジ７における側辺４７が当接する側壁６１とから構成されており、薬剤カートリッジ７をカートリッジ嵌合部５５に隙間なく収容できるように構成されている。
【００３０】
なお、前記薬剤カートリッジ７及び薬剤収容部本体５を、内周側に取付穴３５を有する環状に形成しており、薬剤カートリッジ７をカートリッジ嵌合部５５に取り付けると、薬剤カートリッジ７の内周面がカートリッジ収容部９の内周支持部１７の側壁６１に当接して、薬剤カートリッジ７が確実に支持される。
【００３１】
以下、本実施形態による吸入式投薬器の操作手順を簡単に説明する。
【００３２】
まず、患者が吸入式投薬器１のカートリッジ収容部９を把持し、薬剤カートリッジ７を周方向に沿って回転させて、未使用の薬剤収容部３を孔開け針２３に対向した部位に配置する。そして、操作レバー２１を吸入口１３側に向けてスライドさせることにより、孔開け針２３によって、内周側のシーリングテープ３３、薬剤収容部３、及び外周側のシーリングテープ３３を貫通させる。
【００３３】
次いで、患者は吸入口１３を口腔内に入れて息を吸い込むと、空気が流入通路１１から薬剤収容部３に入り、該薬剤収容部３内に充填された薬剤が、吸入口１３の薬剤通路３１を通って患者の口腔に入り、そのまま肺まで吸入される。
【００３４】
以下に、本実施形態による作用効果について説明する。
【００３５】
本実施形態においては、薬剤収容部３が薬剤カートリッジ７の中心から放射状に延びて形成されているため、薬剤カートリッジ７を所定角度分だけ回転させるごとに、一回分ごとの薬剤収容部３を薬剤通路３１と流入通路１１との間に、対向配置させることができる。
【００３６】
さらに、前記実施形態から把握し得る請求項以外の技術思想について、以下にその効果と共に記載する。
【００３７】
（イ）薬剤収容部を円周方向に沿って複数並設した薬剤収容部本体を備えた薬剤カートリッジにおいて、薬剤収容部本体の内周側に、前記薬剤収容部内に空気を供給する流入孔を設けると共に、薬剤収容部本体の外周側に、前記空気によって導出される薬剤を流出させる流出孔を設け、流入孔と流出孔とを相対向させて配置したことを特徴とする薬剤カートリッジ。
【００３８】
この構成によれば、流入孔と流出孔とを相対向させて配置しているため、吸入力の弱い人でも容易に薬剤を残さずに吸い込むことができる。
【００３９】
（イ−１）前記薬剤収容部本体を環状に形成したことを特徴とする（イ）項に記載の薬剤カートリッジ。
【００４０】
この構成によれば、前記薬剤収容部本体を環状に形成しているため、薬剤カートリッジの内周側には取付穴が形成されており、投薬器に薬剤カートリッジをセットする際には、前記取付穴を投薬器のカートリッジ収容部に嵌合させて確実に保持することができる。また、薬剤カートリッジを投薬器に取り付けたときに、薬剤カートリッジの回転機構が容易に構成できる。
【００４１】
（イ−２）前記薬剤カートリッジの縦断面形状を、台形状に形成したことを特徴とする（イ）項又は（イ−１）項に記載の薬剤カートリッジ。
【００４２】
この構成によれば、前記薬剤カートリッジの縦断面形状を、台形状に形成しているため、薬剤カートリッジを投薬器本体にセットしたときに、薬剤カートリッジと投薬器本体の嵌合面との間に隙間が発生せず、薬剤カートリッジを確実に保持することができる。
【００４３】
（イ−３）前記薬剤収容部の流入孔及び流出孔をテープ状部材で封止したことを特徴とする（イ）項〜（イ−２）項のいずれか１項に記載の薬剤カートリッジ。
【００４４】
この構成によれば、前記薬剤収容部の流入孔及び流出孔をテープ状部材で封止しており、テープ状部材に容易に孔を空けることにより、流入孔及び流出孔を開口することができるため、吸入操作を簡略化することができる。
【００４５】
（イ−４）前記薬剤収容部を略円筒状に形成したことを特徴とする（イ）項〜（イ−３）項のいずれか１項に記載の薬剤カートリッジ。
【００４６】
この構成によれば、薬剤を効率的に収容することができ、また、患者が薬剤を残さずに吸入することができる。
【００４７】
（イ−５）前記薬剤カートリッジの投薬器取り付け側で、夫々の薬剤収容部に対応して凹部を形成したことを特徴とする（イ）項〜（イ−４）項のいずれか１項に記載の薬剤カートリッジ。
【００４８】
この構成によれば、薬剤カートリッジを回転させるときに、該薬剤カートリッジの円周方向の位置を確実に保持することができる。
【００４９】
（イ−６）前記凹部は略半球状に形成したことを特徴とする（イ−５）項に記載の薬剤カートリッジ。
【００５０】
この構成によれば、薬剤カートリッジを円滑に回転させ、該薬剤カートリッジの円周方向の位置を確実に保持することができる。
【００５１】
（ロ）薬剤収容部を円周方向に沿って複数並設した薬剤収容部本体を備えた薬剤カートリッジにおいて、薬剤収容部本体の内周側に、前記薬剤収容部内に空気を供給する流入孔を設けると共に、薬剤収容部本体の外周側に、前記空気によって導出される薬剤を流出させる流出孔を設け、薬粉収容部の導通路、流入孔及び流出孔をほぼ同一直線上に配置したことを特徴とする薬剤カートリッジ。
【００５２】
この構成によれば、前記導通路、流入孔及び流出孔をほぼ同一直線上に配置しているため、吸入力の弱い人でも容易に薬剤を残さずに吸い込むことができる。
【００５３】
（ロ−１）前記薬剤収容部本体を環状に形成したことを特徴とする（ロ）項に記載の薬剤カートリッジ。
【００５４】
この構成によれば、前記薬剤収容部本体を環状に形成しているため、薬剤カートリッジの内周側には取付穴が形成されており、投薬器に薬剤カートリッジをセットする際には、前記取付穴を投薬器のカートリッジ収容部に嵌合させて確実に保持することができる。また、薬剤カートリッジを投薬器に取り付けたときに、薬剤カートリッジの回転機構が容易に構成できる。
【００５５】
（ロ−２）前記薬剤収容部の流入孔及び流出孔をテープ状部材で封止したことを特徴とする（ロ）項又は（ロ−１）項に記載の薬剤カートリッジ。
【００５６】
この構成によれば、前記薬剤収容部の流入孔及び流出孔をテープ状部材で封止しており、テープ状部材に容易に孔を空けることにより、流入孔及び流出孔を開口することができるため、吸入操作を簡略化することができる。
【００５７】
（ロ−３）前記薬剤カートリッジの縦断面形状を、台形状に形成したことを特徴とする（ロ）項〜（ロ−２）項のいずれか１項に記載の薬剤カートリッジ。
【００５８】
この構成によれば、前記薬剤カートリッジの縦断面形状を、台形状に形成しているため、薬剤カートリッジを投薬器本体にセットしたときに、薬剤カートリッジと投薬器本体の嵌合面との間に隙間が発生せず、薬剤カートリッジを確実に保持することができる。
【００５９】
（ロ−４）前記薬剤収容部を略円筒状に形成したことを特徴とする（ロ）項〜（ロ−３）項のいずれか１項に記載の薬剤カートリッジ。
【００６０】
この構成によれば、薬剤を効率的に収容することができ、また、患者が薬剤を残さずに吸入することができる。
【００６１】
（ロ−５）前記薬剤カートリッジの投薬器取り付け側で、夫々の薬剤収容部に対応して凹部を形成したことを特徴とする（ロ）項〜（ロ−４）項のいずれか１項に記載の薬剤カートリッジ。
【００６２】
この構成によれば、薬剤カートリッジを回転させるときに、該薬剤カートリッジの円周方向の位置を確実に保持することができる。
【００６３】
（ロ−６）前記凹部は略半球状に形成したことを特徴とする（ロ−５）項に記載の薬剤カートリッジ。
【００６４】
この構成によれば、薬剤カートリッジを円滑に回転させ、該薬剤カートリッジの円周方向の位置を確実に保持することができる。
【００６５】
（ハ）カートリッジ収容部と、空気を供給する流入通路と、吸入口とを備えた吸入式投薬器であって、薬剤収容部を円周方向に沿って複数並設した薬剤収容部本体を備えた薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設け、流入孔と流出孔とを相対向させて配置したことを特徴とする薬剤カートリッジ。
【００６６】
この構成によれば、流入孔と流出孔とを相対向させて配置しているため、吸入力の弱い人でも容易に薬剤を残さずに吸い込むことができる。
【００６７】
（ハ−１）前記薬粉収容部の導通路、流入孔、流出孔及び吸入口をほぼ同一直線上に配置したことを特徴とする（ハ）項に記載の薬剤カートリッジ。
【００６８】
この構成によれば、前記導通路、流入孔及び流出孔をほぼ同一直線上に配置しているため、吸入力の弱い人でも容易に薬剤を残さずに吸い込むことができる。
【００６９】
（ハ−２）前記薬剤カートリッジの縦断面形状を、台形状に形成したことを特徴とする（ハ）項又は（ハ−１）項に記載の薬剤カートリッジ。
【００７０】
この構成によれば、前記薬剤カートリッジの縦断面形状を、台形状に形成しているため、薬剤カートリッジを投薬器本体にセットしたときに、薬剤カートリッジと投薬器本体の嵌合面との間に隙間が発生せず、薬剤カートリッジを確実に保持することができる。
【００７１】
（ハ−３）前記薬剤収容部の流入孔及び流出孔をテープ状部材で封止したことを特徴とする（ハ）項〜（ハ−２）項のいずれか１項に記載の薬剤カートリッジ。
【００７２】
この構成によれば、前記薬剤収容部の流入孔及び流出孔をテープ状部材で封止しており、テープ状部材に容易に孔を空けることにより、流入孔及び流出孔を開口することができるため、吸入操作を簡略化することができる。
【００７３】
（ハ−４）前記薬剤収容部を略円筒状に形成したことを特徴とする（ハ）項〜（ハ−３）項のいずれか１項に記載の薬剤カートリッジ。
【００７４】
この構成によれば、薬剤を効率的に収容することができ、また、患者が薬剤を残さずに吸入することができる。
【００７５】
（ハ−５）前記薬剤カートリッジの投薬器取り付け側で、夫々の薬剤収容部に対応して凹部を形成したことを特徴とする（ハ）項〜（ハ−４）項のいずれか１項に記載の薬剤カートリッジ。
【００７６】
この構成によれば、薬剤カートリッジを回転させるときに、該薬剤カートリッジの円周方向の位置を確実に保持することができる。
【００７７】
（ハ−６）前記凹部は略半球状に形成したことを特徴とする（ハ−５）項に記載の薬剤カートリッジ。
【００７８】
この構成によれば、薬剤カートリッジを円滑に回転させ、該薬剤カートリッジの円周方向の位置を確実に保持することができる。
【００７９】
（ハ−７）前記カートリッジ収容部にカートリッジを支持する支持手段を設けたことを特徴とする（ハ）項〜（ハ−６）項のいずれか１項に記載の薬剤カートリッジ。
【００８０】
この構成によれば、薬剤カートリッジを回転させるときに、該薬剤カートリッジ７の円周方向の位置を確実に保持することができる。
【００８１】
（ハ−８）前記支持手段は支持球体と弾性部材で構成したことを特徴とする（ハ−７）項に記載の薬剤カートリッジ。
【００８２】
この構成によれば、薬剤カートリッジを円滑に回転させ、該薬剤カートリッジ７の円周方向の位置を弾性的に確実に保持することができる。
【００８３】
（ハ−９）前記カートリッジ収容部に針収容部を設けたことを特徴とする（ハ）項〜（ハ−８）項のいずれか１項に記載の薬剤カートリッジ。
【００８４】
この構成によれば、針収容部を効率的に配置することができ、投薬器の大きさをコンパクトに納めることができる。
【００８５】
（ニ）カートリッジ収容部と、空気を供給する流入通路と、吸入口とを備えた吸入式投薬器であって、薬剤収容部を円周方向に沿って複数並設した薬剤収容部本体を備えた薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設けた。薬粉収容部の導通路、流入孔及び流出孔をほぼ同一直線上に配置したことを特徴とする吸入式投薬器。
【００８６】
この構成によれば、前記導通路、流入孔及び流出孔をほぼ同一直線上に配置しているため、吸入力の弱い人でも容易に薬剤を残さずに吸い込むことができる。
【００８７】
（ニ−１）前記薬剤収容部の流入孔及び流出孔をテープ状部材で封止したことを特徴とする（ニ）項に記載の吸入式投薬器。
【００８８】
この構成によれば、前記薬剤収容部の流入孔及び流出孔をテープ状部材で封止しており、テープ状部材に容易に孔を空けることにより、流入孔及び流出孔を開口することができるため、吸入操作を簡略化することができる。
【００８９】
（ニ−２）前記薬剤カートリッジの縦断面形状を、台形状に形成したことを特徴とする（ニ）項又は（ニ−１）項に記載の吸入式投薬器。
【００９０】
この構成によれば、前記薬剤カートリッジの縦断面形状を、台形状に形成しているため、薬剤カートリッジを投薬器本体にセットしたときに、薬剤カートリッジと投薬器本体の嵌合面との間に隙間が発生せず、薬剤カートリッジを確実に保持することができる。
【００９１】
（ニ−３）前記薬剤収容部を略円筒状に形成したことを特徴とする（ニ）項〜（ニ−２）項のいずれか１項に記載の吸入式投薬器。
【００９２】
この構成によれば、薬剤を効率的に収容することができ、また、患者が薬剤を残さずに吸入することができる。
【００９３】
（ニ−４）前記薬剤カートリッジの投薬器取り付け側で、夫々の薬剤収容部に対応して凹部を形成したことを特徴とする（ニ）項〜（ニ−３）項のいずれか１項に記載の吸入式投薬器。
【００９４】
この構成によれば、薬剤カートリッジを回転させるときに、該薬剤カートリッジの円周方向の位置を確実に保持することができる。
【００９５】
（ニ−５）前記凹部は略半球状に形成したことを特徴とする（ニ−４）項に記載の吸入式投薬器。
【００９６】
この構成によれば、薬剤カートリッジを円滑に回転させ、該薬剤カートリッジの円周方向の位置を確実に保持することができる。
【００９７】
（ニ−６）前記カートリッジ収容部にカートリッジを支持する支持手段を設けたことを特徴とする（ニ）項〜（ニ−５）項のいずれか１項に記載の吸入式投薬器。
【００９８】
この構成によれば、薬剤カートリッジを回転させるときに、該薬剤カートリッジの円周方向の位置を確実に保持することができる。
【００９９】
（ニ−７）前記支持手段は支持球体と弾性部材で構成したことを特徴とする（ニ）項〜（ニ−６）項のいずれか１項に記載の吸入式投薬器。
【０１００】
この構成によれば、薬剤カートリッジを滑らかに回転させることができ、かつ、薬剤カートリッジの円周方向の位置を弾性的に確実に保持することができる。
【０１０１】
（ニ−８）前記カートリッジ収容部に針収容部を設けたことを特徴とする（ニ）項〜（ニ−７）項のいずれか１項に記載の吸入式投薬器。
【０１０２】
この構成によれば、針収容部を効率的に配置することができ、投薬器の大きさをコンパクトに納めることができる。
【０１０３】
（ホ）カートリッジ収容部と、空気を供給する流入通路と、吸入口とを備えた吸入式投薬器であって、薬剤収容部を円周方向に沿って複数並設した薬剤収容部本体を備えた薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設け、薬剤収容部本体を環状に形成し、カートリッジを回転することにより吸入口と夫々の薬剤収容部を連通するように配置し、流入孔と流出孔とを相対向させて配置したことを特徴とする薬剤カートリッジ。
【０１０４】
この構成によれば、流入孔と流出孔とを相対向させて配置しているため、吸入力の弱い人でも容易に薬剤を残さずに吸い込むことができる。
【０１０５】
（ホ−１）前記薬粉収容部の導通路、流入孔、流出孔及び吸入口をほぼ同一直線上に配置したことを特徴とする（ホ）項に記載の薬剤カートリッジ。
【０１０６】
この構成によれば、前記導通路、流入孔及び流出孔をほぼ同一直線上に配置しているため、吸入力の弱い人でも容易に薬剤を残さずに吸い込むことができる。
【０１０７】
（ホ−２）前記薬剤カートリッジの縦断面形状を、台形状に形成したことを特徴とする（ホ）項〜（ホ−１）項のいずれか１項に記載の薬剤カートリッジ。
【０１０８】
この構成によれば、前記薬剤カートリッジの縦断面形状を、台形状に形成しているため、薬剤カートリッジを投薬器本体にセットしたときに、薬剤カートリッジと投薬器本体の嵌合面との間に隙間が発生せず、薬剤カートリッジを確実に保持することができる。
【０１０９】
（ホ−３）前記薬剤収容部の流入孔及び流出孔をテープ状部材で封止したことを特徴とする（ホ）項〜（ホ−２）項のいずれか１項に記載の薬剤カートリッジ。
【０１１０】
この構成によれば、前記薬剤収容部の流入孔及び流出孔をテープ状部材で封止しており、テープ状部材に容易に孔を空けることにより、流入孔及び流出孔を開口することができるため、吸入操作を簡略化することができる。
【０１１１】
（ホ−４）前記薬剤収容部を略円筒状に形成したことを特徴とする（ホ）項〜（ホ−３）項のいずれか１項に記載の薬剤カートリッジ。
【０１１２】
この構成によれば、薬剤を効率的に収容することができ、また、患者が薬剤を残さずに吸入することができる。
【０１１３】
（ホ−５）前記薬剤カートリッジの投薬器取り付け側で、夫々の薬剤収容部に対応して凹部を形成したことを特徴とする（ホ）項〜（ホ−４）項のいずれか１項に記載の薬剤カートリッジ。
【０１１４】
この構成によれば、薬剤カートリッジを回転させるときに、該薬剤カートリッジの円周方向の位置を確実に保持することができる。
【０１１５】
（ホ−６）前記凹部は略半球状に形成したことを特徴とする（ホ−５）項に記載の薬剤カートリッジ。
【０１１６】
この構成によれば、薬剤カートリッジを円滑に回転させ、該薬剤カートリッジの円周方向の位置を確実に保持することができる。
【０１１７】
（ホ−７）前記カートリッジ収容部にカートリッジを支持する支持手段を設けたことを特徴とする（ホ）項〜（ホ−６）項のいずれか１項に記載の薬剤カートリッジ。
【０１１８】
この構成によれば、薬剤カートリッジを回転させるときに、該薬剤カートリッジの円周方向の位置を確実に保持することができる。
【０１１９】
（ホ−８）前記支持手段は支持球体と弾性部材で構成したことを特徴とする（ホ７）項に記載の薬剤カートリッジ。
【０１２０】
この構成によれば、薬剤カートリッジを円滑に回転させ、該薬剤カートリッジの円周方向の位置を弾性的に確実に保持することができる。
【０１２１】
（ホ−９）前記カートリッジ収容部に針収容部を設けたことを特徴とする（ホ）項〜（ホ−８）項のいずれか１項に記載の薬剤カートリッジ。
【０１２２】
この構成によれば、針収容部を効率的に配置することができ、投薬器の大きさをコンパクトに納めることができる。
【０１２３】
（ヘ）カートリッジ収容部と、空気を供給する流入通路と、吸入口とを備えた吸入式投薬器であって、薬剤収容部を円周方向に沿って複数並設した薬剤収容部本体を備えた薬剤カートリッジを設け、薬剤収容部本体の内周側に、前記薬剤収容部内に空気を供給する流入孔を設けると共に、薬剤収容部本体の外周側に、前記空気によって導出される薬剤を流出させる流出孔を設け、薬剤収容部本体を環状に形成し、カートリッジを回転することにより吸入口と夫々の薬剤収容部を連通するように配置し、薬粉収容部の導通路、流入孔及び流出孔をほぼ同一直線上に配置したことを特徴とする吸入式投薬器。
【０１２４】
この構成によれば、前記導通路、流入孔及び流出孔をほぼ同一直線上に配置しているため、吸入力の弱い人でも容易に薬剤を残さずに吸い込むことができる。
【０１２５】
（ヘ−１）前記薬剤収容部の流入孔及び流出孔をテープ状部材で封止したことを特徴とする（ヘ）項に記載の吸入式投薬器。
【０１２６】
この構成によれば、前記薬剤収容部の流入孔及び流出孔をテープ状部材で封止しており、テープ状部材に容易に孔を空けることにより、流入孔及び流出孔を開口することができるため、吸入操作を簡略化することができる。
【０１２７】
（ヘ−２）前記薬剤カートリッジの縦断面形状を、台形状に形成したことを特徴とする（ヘ）項又は（ヘ−１）項に記載の吸入式投薬器。
【０１２８】
この構成によれば、前記薬剤カートリッジの縦断面形状を、台形状に形成しているため、薬剤カートリッジを投薬器本体にセットしたときに、薬剤カートリッジと投薬器本体の嵌合面との間に隙間が発生せず、薬剤カートリッジを確実に保持することができる。
【０１２９】
（ヘ−３）前記薬剤収容部を略円筒状に形成したことを特徴とする（ヘ）項〜（ヘ−２）項のいずれか１項に記載の吸入式投薬器。
【０１３０】
この構成によれば、薬剤を効率的に収容することができ、また、患者が薬剤を残さずに吸入することができる。
【０１３１】
（ヘ−４）前記薬剤カートリッジの投薬器取り付け側で、夫々の薬剤収容部に対応して凹部を形成したことを特徴とする（ヘ）項〜（ヘ−３）項のいずれか１項に記載の吸入式投薬器。
【０１３２】
この構成によれば、薬剤カートリッジを回転させるときに、該薬剤カートリッジの円周方向の位置を確実に保持することができる。
【０１３３】
（ヘ−５）前記凹部は略半球状に形成したことを特徴とする（ヘ−４）項に記載の吸入式投薬器。
【０１３４】
この構成によれば、薬剤カートリッジを円滑に回転させ、該薬剤カートリッジの円周方向の位置を確実に保持することができる。
【０１３５】
（ヘ−６）前記カートリッジ収容部にカートリッジを支持する支持手段を設けたことを特徴とする（ヘ）項〜（ヘ−５）項のいずれか１項に記載の吸入式投薬器。
【０１３６】
この構成によれば、薬剤カートリッジを回転させることができ、薬剤カートリッジの円周方向の位置を確実に保持することができる。
【０１３７】
（ヘ−７）前記支持手段は支持球体と弾性部材で構成したことを特徴とする（ヘ−６）項に記載の吸入式投薬器。
【０１３８】
この構成によれば、薬剤カートリッジを滑らかに回転させることができ、かつ、薬剤カートリッジの円周方向の位置を弾性的に確実に保持することができる。
【０１３９】
（ヘ−８）前記カートリッジ収容部に針収容部を設けたことを特徴とする（ヘ）項〜（ヘ−７）項のいずれか１項に記載の吸入式投薬器。
【０１４０】
この構成によれば、針収容部を効率的に配置することができ、投薬器の大きさをコンパクトに納めることができる。
【０１４１】
なお、本実施形態においては、患者の口腔内から薬剤を吸入するタイプの投薬器について説明したが、本発明はこれに限定されず、例えば鼻腔内から吸入するタイプの投薬器にも適用することができる。
【図面の簡単な説明】
【０１４２】
【図１】本発明の実施形態による吸入式投薬器の平面図である。
【図２】図１のＡ−Ａ線による断面図である。
【図３】図１の薬剤カートリッジを示す平面図である。
【図４】図３のＢ−Ｂ線による断面図であり、シーリングテープを省略した薬剤収容部本体を示している。
【図５】図４の薬剤収容部本体の底面図である。
【図６】図２のカーリッジ収容部の断面図である。
【符号の説明】
【０１４３】
１…吸入式投薬器
３…薬剤収容部
５…薬剤収容部本体
７…薬剤カートリッジ
９…カートリッジ収容部
１１…流入通路
１３…吸入口
１９…孔開け針用収容凹部（針収容部）
３３…シーリングテープ（テープ状部材）
３７…導通路
３９…流入孔
４１…流出孔
５１…半球状凹部（凹部）
【図１】
2006130143.tif 000003
【図２】
2006130143.tif 000004
【図３】
2006130143.tif 000005
【図４】
2006130143.tif 000006
【図５】
2006130143.tif 000007
【図６】
2006130143.tif 000008